(57)【要約】      （修正有）【課題】生活ゴミ圧縮装置を提供する。【解決手段】圧縮溝１を含む生活ゴミ圧縮装置であって、圧縮溝１の頂部の一側にガンドリー２がはんだ付け接続され、ガンドリー２の表面中部に第１套管３が嵌合され、第１套管３の管室に第１液圧プッシュロッド４が取付けられ、第１液圧プッシュロッド４の出力端に圧板が取付けられ、圧縮溝１の左側に第１横板６がはんだ付け接続され、第１横板６の底部の一側に第２套管７がはんだ付け接続され、第２套管７の管室に第２液圧プッシュロッド８が挿接され、第２液圧プッシュロッド８の出力端に押板が取付けられ、圧縮溝１の左側壁の底部に第１止め穴が開設され、圧縮溝１の右側壁に第２横板１１がはんだ付け接続され、第２横板１１の底部の一側に第３套管１２がはんだ付け接続され、第３套管１２の管室に第３液圧プッシュロッド１３が取付けられる。【選択図】図１
0003233400.tif 000002
【実用新案登録請求の範囲】
【請求項１】
圧縮溝（１）を含む生活ゴミ圧縮装置であって、前記圧縮溝（１）の頂部の一側にガン
ドリー（２）がはんだ付け接続され、前記ガンドリー（２）の表面中部に第１套管（３）
が嵌合され、前記第１套管（３）の管室に第１液圧プッシュロッド（４）が取付けられ、
前記第１液圧プッシュロッド（４）の出力端に圧板（５）が取付けられ、前記圧縮溝（１
）の左側に第１横板（６）がはんだ付け接続され、前記第１横板（６）の底部の一側に第
２套管（７）がはんだ付け接続され、前記第２套管（７）の管室に第２液圧プッシュロッ
ド（８）が挿接され、前記第２液圧プッシュロッド（８）の出力端に押板（９）が取付け
られ、前記圧縮溝（１）の左側壁の底部に第１止め穴（１０）が開設され、前記圧縮溝（
１）の右側壁に第２横板（１１）がはんだ付け接続され、前記第２横板（１１）の底部の
一側に第３套管（１２）がはんだ付け接続され、前記第３套管（１２）の管室に第３液圧
プッシュロッド（１３）が取付けられ、前記第３液圧プッシュロッド（１３）の出力端に
バッフル（１４）が取付けられ、前記圧縮溝（１）の右側壁の底部に第２止め穴（１５）
が開設され、前記第１横板（６）の頂部の一側に制御手段（１６）が取付けられており、
前記制御手段（１６）は保護箱（１６０１）、一体型タッチパネル（１６０２）、スイッ
チ（１６０３）およびアラーム（１６０４）からなることを特徴とする生活ゴミ圧縮装置
。
【請求項２】
前記圧縮溝（１）の内径と前記圧板（５）の外径とが等しく、かつ嵌入型構造を構成して
いることを特徴とする請求項１に記載の前記生活ゴミ圧縮装置。
【請求項３】
前記第１止め穴（１０）の内径と前記押板（９）の外径とが等しく、かつ嵌入型構造を構
成していることを特徴とする請求項１に記載の前記生活ゴミ圧縮装置。
【請求項４】
前記第２止め穴（１５）の内径とバッフル（１４）の外径とが等しく、かつ嵌入型構造を
構成していることを特徴とする請求項１に記載の前記生活ゴミ圧縮装置。
【請求項５】
前記第１套管（３）の内径と第１液圧プッシュロッド（４）の外径とが等しく、かつ嵌入
型構造を構成していることを特徴とする請求項１に記載の前記生活ゴミ圧縮装置。
【請求項６】
前記保護箱（１６０１）の表面の頂部に一体型タッチパネル（１６０２）が取付けられて
いることを特徴とする請求項１に記載の前記生活ゴミ圧縮装置。
【請求項７】
前記一体型タッチパネル（１６０２）の底部の一側にスイッチ（１６０３）が取付けられ
ていることを特徴とする請求項１に記載の前記生活ゴミ圧縮装置。
【請求項８】
前記保護箱（１６０１）の頂部にアラーム（１６０４）が取付けられていることを特徴と
する請求項１に記載の前記生活ゴミ圧縮装置。
【請求項９】
前記一体型タッチパネル（１６０２）は導線によって第１液圧プッシュロッド（４）、第
２液圧プッシュロッド（８）、第３液圧プッシュロッド（１３）、スイッチ（１６０３）
およびアラーム（１６０４）にそれぞれ電気接続されていることを特徴とする請求項１に
記載の前記生活ゴミ圧縮装置。
【請求項１０】
前記第１横板（６）および第２横板（１１）の頂部はそれぞれ斜支杆（１７）によってガ
ンドリー（２）の外側壁の頂部に接続されていることを特徴とする請求項１に記載の前記
生活ゴミ圧縮装置。
【考案の詳細な説明】
【技術の分野】
【０００１】
本実用新案は圧縮デバイス・装置の技術分野に関するもので、特に生活ゴミ圧縮装置に
関する。
【従来の技術】
【０００２】
生活ゴミとは、人々の日常生活や日常生活のためにサービスを提供する活動の中で発生
する固形廃棄物や、法律、行政法規の規定によって生活ゴミと見なされる固形廃棄物をい
う。主に住民生活、市場・商業、公共場所、街の清掃、企業・機構などのゴミ源がある。
【０００３】
ところが、従来の生活ゴミ圧縮装置は以下の欠点を有する。
従来の生活ゴミ圧縮装置は、使用に際しては、圧縮の効率が足りなく、人力で圧縮後のゴ
ミを抜き出しなければならないので、操作者の労働強度が大きい。また、従来の生活ゴミ
圧縮装置は、警報機能を持たなく、警告の作用がなく、安全上の危険を引き起こしやすい
。    
【考案の概要】
【０００４】
本実用新案の目的は、上記背景の技術に記載した、従来の生活ゴミ圧縮装置においては、
使用に際しては、圧縮の効率が足りなく、人力で圧縮後のゴミを抜き出しなければならな
いので、操作者の労働強度が大きい、また警報機能を持たなく、警告の作用がなく、安全
上の危険を引き起こしやすいという欠点を克服できる生活ゴミ圧縮装置を提供することに
ある。
【０００５】
上記の目的を実現するために、本実用新案は、下記の生活ゴミ圧縮装置を提供する。該生
活ゴミ圧縮装置は圧縮溝を含み、前記圧縮溝の頂部の一側にガンドリーがはんだ付け接続
され、前記ガンドリーの表面中部に第１套管が嵌合され、前記第１套管の管室に第１液圧
プッシュロッドが取付けられ、前記第１液圧プッシュロッドの出力端に圧板が取付けられ
、前記圧縮溝の左側に第１横板がはんだ付け接続され、前記第１横板の底部の一側に第２
套管がはんだ付け接続され、前記第２套管の管室に第２液圧プッシュロッドが挿接され、
前記第２液圧プッシュロッドの出力端に押板が取付けられ、前記圧縮溝１の左側壁の底部
に第１止め穴が開設され、前記圧縮溝１の右側壁に第２横板がはんだ付け接続され、前記
第２横板の底部の一側に第３套管がはんだ付け接続され、前記第３套管の管室に第３液圧
プッシュロッドが取付けられ、前記第３液圧プッシュロッドの出力端にバッフルが取付け
られ、前記圧縮溝１の右側壁の底部に第２止め穴が開設され、前記第１横板の頂部の一側
に制御手段が取付けられており、前記制御手段は保護箱、一体型タッチパネル、スイッチ
およびアラームからなる。制御手段によって、それぞれの液圧プッシュロッドの作動を制
御することができるので、圧縮溝内の生活ゴミを圧縮処理することができるとともに、圧
縮後の生活ゴミを引き出すこともできる。これによって、工作効率を向上するとともに、
人工労働の強度を低減する。また制御手段に含まれるアラームによって警報機能を発揮す
ることができるので、装置の使用安全性を向上する。
【０００６】
好ましくは、前記圧縮溝の内径と圧板の外径とが等しく、かつ嵌入型構造を構成している
。これにより、第１液圧プッシュロッドに連動して圧板が押下することができるので、圧
板によりさらに圧縮溝中の生活ゴミを圧縮処理することができる。
【０００７】
好ましくは、前記第１止め穴の内径と押板の外径とが等しく、かつ嵌入型構造を構成して
いる。これにより、第１止め穴によって押板を位置限定して取付けることができる。
【０００８】
好ましくは、前記第２止め穴の内径とバッフルの外径とが等しく、かつ嵌入型構造を構成
している。これにより、バッフルによって第２止め穴を塞ぎ、圧縮溝内の生活ゴミの圧縮
際におけるオーバーフローを防止できる。
【０００９】
好ましくは、前記第１套管の内径と第１液圧プッシュロッドの外径とが等しく、かつ嵌入
型構造を構成している。第１套管によって第１液圧プッシュロッドを位置限定して固定す
ることができる。
【００１０】
好ましくは、前記保護箱の表面の頂部に一体型タッチパネルが取付けられている。
【００１１】
好ましくは、前記一体型タッチパネルの底部の一側にスイッチが取付けられている。スイ
ッチによってフレキスィブル的に装置の作動を起動することができる。
【００１２】
好ましくは、前記保護箱の頂部にアラームが取付けられている。アラームによって警報す
ることができ、アラーム機能を発揮する。
【００１３】
好ましくは、前記一体型タッチパネルは導線によってそれぞれ第１液圧プッシュロッド、
第２液圧プッシュロッド、第３液圧プッシュロッド、スイッチおよびアラームに電気接続
されている。一体型タッチパネルによってフレキスィブル的に各部の動作を制御すること
ができ、それによって、装置動作の安定性を保証することができる。
【００１４】
好ましくは、第１横板および第２横板の頂部はそれぞれ斜支杆によってガンドリーの外側
壁の頂部に接続されることにより、斜支杆によって第１横板および第２横板の構成強度を
増大し、装置の使用安全性を向上する。
【００１５】
従来の技術と比べて、本実用新案の有益な効果は以下の通りである。
（１）本実用新案では、圧縮溝により生活ゴミを放置することができる。ガンドリーおよ
び第１套管によって、第１套管を取付固定することができるだけでなく、第１套管をフレ
キスィブル的に伸縮させることもできる。第１液圧プッシュロッドに連動して圧板が押下
することができ流ので、圧板によりさらに圧縮溝中の生活ゴミを圧縮処理することができ
る。第１止め穴によって押板を位置限定して取付ることができる。第１横板および第２套
管によって第２液圧プッシュロッドを取付固定することができ流ので、第２液圧プッシュ
ロッドによりさらに押板をプッシュして作動させることができる。
【００１６】
（２）本実用新案では、バッフルによって第２止め穴を塞ぐことができ流ので、圧縮溝内
の生活ゴミの圧縮際におけるオーバーフローを防止することができる。第２横板および第
３套管によって第３液圧プッシュロッドを取付固定することができるので、さらに第３液
圧プッシュロッドに連動してバッフルを動作させることができる。制御手段における一体
型タッチパネルは導線によってそれぞれ第１液圧プッシュロッド、第２液圧プッシュロッ
ド、第３液圧プッシュロッド、スイッチおよびアラームに電気接続されるので、一体型タ
ッチパネルによって第１液圧プッシュロッドおよびアラームの動作を制御することができ
る。アラームによって警報することができ、警告の効果をもたらし、スタッフの近寄りを
防止することができる。
【００１７】
（３）本実用新案では、第１液圧プッシュロッドに連動して圧板が圧縮溝内の生活ゴミを
縦方向に圧縮処理することができるとともに、圧縮溝内の縦方向位置における中部まで作
動すると圧板を停止させることができる。それから一体型タッチパネルによって、第２液
圧プッシュロッドに連動して押板が圧縮溝内の生活ゴミを横方向に圧縮処理するとともに
、押板が圧縮溝の管室中部まで作動すると第２液圧プッシュロッドに作動を停止させるよ
うに制御する。そして一体型タッチパネルによって、第３液圧プッシュロッドに連動して
バッフル１４を第２止め穴から抽出するように第３液圧プッシュロッドを制御する。最後
に、第２液圧プッシュロッドによって押板がそれに連動して作動することにより、押板に
より圧縮後の生活ゴミを圧縮溝１中から推出すと、生活ゴミの圧縮処理を完了する。これ
によって、工作効率を向上するとともに、人工労働の強度を低減する。
【図面の簡単な説明】
【００１８】
【図１】図１は本実用新案の全体構成模式図である。
【図２】図２は本実用新案の内部構成模式図である。
【図３】図３は本実用新案の材料押送構成模式図である。
【図４】図４は本実用新案の制御手段構成模式図である。
【考案を実施するための形態】
【００１９】
図１〜４に示されるように、本実用新案は生活ゴミ圧縮装置を提供する。前記生活ゴミ圧
縮装置は、圧縮溝１を含み、前記圧縮溝１の頂部の一側にガンドリー２がはんだ付け接続
され、前記ガンドリー２の表面中部に第１套管３が嵌合され、前記第１套管３の管室に第
１液圧プッシュロッド４が取付けられ、前記第１液圧プッシュロッド４の出力端に圧板５
が取付けられ、前記圧縮溝１の左側に第１横板６がはんだ付け接続され、前記第１横板６
の底部の一側に第２套管７がはんだ付け接続され、前記第２套管７の管室に第２液圧プッ
シュロッド８が挿接され、前記第２液圧プッシュロッド８の出力端に押板９が取付けられ
、前記圧縮溝１の左側壁の底部に第１止め穴１０が開設され、前記圧縮溝１の右側壁に第
２横板１１がはんだ付け接続され、前記第２横板１１の底部の一側に第３套管１２がはん
だ付け接続され、前記第３套管１２の管室に第３液圧プッシュロッド１３が取付けられ、
前記第３液圧プッシュロッド１３の出力端にバッフル１４が取付けられ、前記圧縮溝１の
右側壁の底部に第２止め穴１５が開設され、前記第１横板６の頂部の一側に制御手段１６
が取付けられており、前記制御手段１６は保護箱１６０１、一体型タッチパネル１６０２
、スイッチ１６０３およびアラーム１６０４からなる。制御手段１６によって、それぞれ
の液圧プッシュロッドの作動を制御できるので、圧縮溝１内の生活ゴミを圧縮処理するこ
とができるとともに、圧縮後の生活ゴミを引き出すこともできる。工作効率を向上すると
ともに、人工労働の強度を低減する。また制御手段１６中のアラーム１６０４によって警
報機能を発揮することができるので、装置の使用安全性を向上する。
【００２０】
前記圧縮溝１の内径と圧板５外径とが等しく、かつ嵌入型構造を構成している。これによ
り、第１液圧プッシュロッド４に連動して圧板５が押下することができ、圧板５によりさ
らに圧縮溝１中の生活ゴミを圧縮処理することができる。
【００２１】
前記第１止め穴１０の内径と押板９外径とが等しく、かつ嵌入型構造を構成している。こ
れにより第１止め穴１０によって押板９を位置限定して取付けることができる。
【００２２】
前記第２止め穴１５の内径とバッフル１４外径とが等しく、かつ嵌入型構造を構成してい
る。これにより、バッフル１４によって第２止め穴１５を塞ぎ、圧縮溝１内の生活ゴミの
圧縮際におけるオーバーフローを防止できる。
【００２３】
前記第１套管３の内径と第１液圧プッシュロッド４外径とが等しく、かつ嵌入型構造を構
成している。第１套管３によって第１液圧プッシュロッド４を位置限定して固定すること
ができる。
【００２４】
前記保護箱１６０１表面の頂部に一体型タッチパネル１６０２が取付けられている。
【００２５】
前記一体型タッチパネル１６０２の底部の一側にスイッチ１６０３が取付けられている。
スイッチ１６０３によってフレキスィブル的に装置の作動を起動できる。
【００２６】
前記保護箱１６０１の頂部にアラーム１６０４が取付けられている。アラーム１６０４に
よって警報することができ、アラーム機能を発揮する。
【００２７】
前記一体型タッチパネル１６０２は導線によってそれぞれ第１液圧プッシュロッド４、第
２液圧プッシュロッド８、第３液圧プッシュロッド１３、スイッチ１６０３およびアラー
ム１６０４に電気接続されている。一体型タッチパネル１６０２によってフレキスィブル
的に各部の動作を制御し、装置動作の安定性を保証することができる。
【００２８】
第１横板６および第２横板１１の頂部はそれぞれ斜支杆１７によってガンドリー２の外側
壁の頂部に接続されることにより、斜支杆１７によって第１横板６および第２横板１１の
構成強度を増大し、装置の使用安全性を向上する。
【００２９】
生活ゴミ圧縮装置の動作に際しては、以下のとおり特筆すべきである。圧縮溝１の頂部の
一側にガンドリー２がはんだ付け接続され、かつガンドリー２の頂部の表面の中部に第１
套管３が嵌合接続され、第１套管３の管室に第１液圧プッシュロッド４が取付けられてい
る。これにより、圧縮溝１により生活ゴミを放置することができる。ガンドリー２および
第１套管３によって、第１套管３を取付固定することができるだけでなく、第１套管３を
フレキスィブル的に伸縮させることもできる。第１液圧プッシュロッド４の出力端に圧板
５が取付けられ、かつ圧縮溝１の内径と圧板５外径とが等しく、かつ嵌入型構造とするこ
とにより、第１液圧プッシュロッド４に連動して圧板５が押下することができ、圧板５に
よって圧縮溝１中の生活ゴミを圧縮処理することができる。圧縮溝１の左側壁の底部に第
１止め穴１０が開設されるとともに、第１止め穴１０の内径と押板９の外径とが等しく、
かつ嵌入型構造を構成することにより、第１止め穴１０によって押板９を位置限定して取
付ることができる。圧縮溝１の左側に第１横板６がはんだ付け接続され、かつ第１横板６
の底部の一側に第２套管７がはんだ付け接続されるとともに、第２套管７の管室に第２液
圧プッシュロッド８が挿接され、かつ第２液圧プッシュロッド８の出力端に押板９が取付
けられることにより、第１横板６および第２套管７によって第２液圧プッシュロッド８を
取付固定することができ、第２液圧プッシュロッド８によって押板９をプッシュして作動
させることができる。圧縮溝１の右側壁の底部に第２止め穴１５が開設されるとともに、
第２止め穴１５の内径とバッフル１４の外径とが等しく、かつ嵌入型構造を構成すること
により、バッフル１４によって第２止め穴１５を塞ぐことができ、圧縮溝１内の生活ゴミ
の圧縮際におけるオーバーフローを防止することができる。圧縮溝１の右側壁に第２横板
１１がはんだ付け接続され、かつ第２横板１１の底部の一側に第３套管１２がはんだ付け
接続されるとともに、第３套管１２の管室に第３液圧プッシュロッド１３が取付けられ、
かつ第３液圧プッシュロッド１３の出力端にバッフル１４が取付けられることにより、第
２横板１１および第３套管１２によって第３液圧プッシュロッド１３を取付固定すること
ができるので、さらに第３液圧プッシュロッド１３に連動してバッフル１４を動作させる
ことができる。制御手段１６における一体型タッチパネル１６０２は導線によってそれぞ
れ第１液圧プッシュロッド４、第２液圧プッシュロッド８、第３液圧プッシュロッド１３
、スイッチ１６０３およびアラーム１６０４に電気接続されるので、一体型タッチパネル
１６０２によって第１液圧プッシュロッド４およびアラーム１６０４の動作を制御するこ
とができる。アラーム１６０４によって警報することができ、警告の効果をもたらし、ス
タッフの近寄りを防止することができる。第１液圧プッシュロッド４に連動して圧板５が
圧縮溝１内の生活ゴミを縦方向に圧縮処理することができるとともに、圧縮溝１内の縦方
向位置における中部まで作動すると圧板５がを停止させることができる。それから一体型
タッチパネル１６０２によって、第２液圧プッシュロッド８に連動して押板９が圧縮溝１
内の生活ゴミを横方向に圧縮処理するとともに、押板９が圧縮溝１の管室中部まで作動す
ると、第２液圧プッシュロッド８に作動を停止させるように制御する。そして、一体型タ
ッチパネル１６０２によって、第３液圧プッシュロッド１３に連動してバッフル１４を第
２止め穴１５から抽出するように第３液圧プッシュロッド１３を制御する。最後に、第２
液圧プッシュロッド８によって押板９が連動して作動することにより、押板９により圧縮
後の生活ゴミを圧縮溝１中から推出すと、生活ゴミの圧縮処理を完了する。これによって
、工作の効率を向上するとともに、人工労働の強度を低減する。第１横板６および第２横
板１１の頂部はそれぞれ斜支杆１７によってガンドリー２の外側壁の頂部に接続されるこ
とにより、斜支杆１７によって第１横板６および第２横板１１の構成強度を増大し、装置
の使用安全性を向上する。
【００３０】
特筆すべきのは、本実用新案は、生活ゴミ圧縮装置に関するもので、圧縮溝１、ガンドリ
ー２、第１套管３、第１液圧プッシュロッド４、圧板５、第１横板６、第２套管７、第２
液圧プッシュロッド８、押板９、第１止め穴１０、第２横板１１、第３套管１２、第３液
圧プッシュロッド１３、バッフル１４、第２止め穴１５、制御手段１６、保護箱１６０１
、一体型タッチパネル１６０２、スイッチ１６０３、アラーム１６０４および斜支杆１７
を含む。各部件はいずれも基準品、または当業者の公知部品であり、その構成と動作原理
は技術ブックや常規の実験によって当業者が取得できる。また、上記電気部品を当業者が
適宜に選択することや、回路のテストなどによって、各部品の正常動作を保証することが
当然であり、これについても限定されない。
【符号の説明】
【００３１】
１  圧縮溝
２  ガンドリー
３  第１套管
４  第１液圧プッシュロッド
５  圧板
６  第１横板
７  第２套管
８  第２液圧プッシュロッド
９  押板
１０  第１止め穴
１１  横板
１２  第３套管
１３  第３液圧プッシュロッド
１４  バッフル
１５  第２止め穴
１６  制御手段
１６０１  保護箱
１６０２  一体型タッチパネル
１６０３  スイッチ
１６０４  アラーム
１７  斜支杆
【図１】
0003233400.tif 000003
【図２】
0003233400.tif 000004
【図３】
0003233400.tif 000005
【図４】
0003233400.tif 000006